(57)【要約】【課題】外部の構成に、未使用のカートリッジが装着されたことを認識させることができるカートリッジを提供すること。【解決手段】  トナーを収容する現像フレーム３１と、駆動力を受ける現像カップリングとを備える現像カートリッジ１に、回転しながら左右方向に移動する欠け歯ギア５１と、欠け歯ギア５１からの駆動力を受けて左右方向に移動する検知部材５２とを設ける。欠け歯ギア５１の左面Ｓ１に、検知部材５２を左右方向に移動させるための第１スライド部５４を設け、欠け歯ギア５１の右面Ｓ２に、欠け歯ギア５１自体を左右方向に移動させるための第２スライド部５６を設ける。【選択図】図４
2015197532.tif 000002
【特許請求の範囲】
【請求項１】
現像剤を収容するように構成される筐体と、
駆動力を受けるように構成される駆動受け部と、
前記駆動受け部からの駆動力を受けることにより回転するように構成される回転体であって、回転しながら前記回転体の回転軸線と平行な軸線方向に移動するように構成される回転体と、
前記回転体からの駆動力を受けることにより前記軸線方向に移動するように構成される被検知体と
を備え、
前記回転体は、
前記軸線方向において前記被検知体に向かい合う第１面と、前記軸線方向において前記第１面とは反対側に位置する第２面とを有する本体部と、
前記第１面に配置され、前記被検知体に、前記被検知体を前記軸線方向に移動させるための力を付与するように構成される作用部と、
前記第２面に配置され、前記本体部を前記軸線方向に移動させるための力を付与されるように構成される被作用部と
を備えることを特徴とする、カートリッジ。
【請求項２】
現像剤を担持するように構成される現像剤担持体をさらに備えることを特徴とする、請求項１に記載のカートリッジ。
【請求項３】
前記作用部と前記被作用部とは、前記回転軸線に直交する径方向において、互いに異なる位置に配置されていることを特徴とする、請求項１または２に記載のカートリッジ。
【請求項４】
前記被検知体は、前記作用部が当接する第１の当接部を有し、
前記筐体は、前記被作用部が当接する第２の当接部を有することを特徴とする、請求項１〜３のいずれか一項に記載のカートリッジ。
【請求項５】
前記作用部および前記第１の当接部の少なくとも一方は、前記回転体の回転方向に向かうにつれて前記第１面に近接する方向へ傾斜する第１の傾斜部を有し、
前記被作用部および前記第２の当接部の少なくとも一方は、前記回転体の回転方向に向かうにつれて前記第２面に近接する方向へ傾斜する第２の傾斜部を有することを特徴とする、請求項４に記載のカートリッジ。
【請求項６】
前記回転体は、その回転途中において、前記作用部が前記第１の当接部のうちの前記第１面に最も近接する部分に当接するとともに、前記被作用部が前記第２の当接部のうちの前記第２面に最も近接する部分に当接するように構成されることを特徴とする、請求項４または５に記載のカートリッジ。
【請求項７】
前記軸線方向において前記被検知体に対して前記回転体と反対側から向かい合う被覆部を有する被覆部材をさらに備えることを特徴とする、請求項１〜６のいずれか一項に記載のカートリッジ。
【請求項８】
前記被覆部と前記被検知体とに当接し、前記被検知体を前記回転体に向かって付勢する付勢部材をさらに備えることを特徴とする、請求項７に記載のカートリッジ。
【請求項９】
前記被覆部材および前記筐体の少なくとも一方は、前記回転体および前記被検知体を支持する支持部を備えることを特徴とする、請求項７または８に記載のカートリッジ。
【請求項１０】
前記筐体は、内部に現像剤を充填するための充填口と、前記充填口を閉鎖する閉鎖部材とを有し、
前記支持部は、前記閉鎖部材に備えられることを特徴とする、請求項９に記載のカートリッジ。
【請求項１１】
前記駆動受け部からの駆動力を受けて回転するように構成される伝達部材であって、前記回転体に駆動力を伝達するように構成される伝達部と、前記伝達部と異なる位置に設けられ、前記伝達部材の回転に伴って移動するように構成される係合部とを有する伝達部材をさらに備え、
前記回転体は、
前記伝達部に当接するように構成される被伝達部と、前記係合部に当接するように構成される被係合部とを備え、
前記被伝達部と前記伝達部との当接が解除される第１位置から、前記係合部が前記被係合部に当接することにより、前記被伝達部が前記伝達部に当接する第２位置へ移動するように構成されることを特徴とする、請求項１〜１０のいずれか一項に記載のカートリッジ。
【請求項１２】
前記被検知体は、回転を規制された状態で前記軸線方向に移動するように構成されることを特徴とする、請求項１〜１１のいずれか一項に記載のカートリッジ。
【発明の詳細な説明】
【技術分野】
【０００１】
本発明は、電子写真方式が採用される画像形成装置に装着されるカートリッジに関する。
【背景技術】
【０００２】
電子写真方式のプリンタとして、現像剤を収容するカートリッジを着脱可能に備えるプリンタが知られている（例えば、下記特許文献１参照）。
【先行技術文献】
【特許文献】
【０００３】
【特許文献１】特開平８−１７９６０８号公報
【発明の概要】
【発明が解決しようとする課題】
【０００４】
上記した特許文献１のような構成では、使用済みのカートリッジを未使用のカートリッジに交換したときに、未使用のカートリッジが装着されたことをプリンタに認識させる必要がある。
【０００５】
そこで、本発明の目的は、外部の構成に、未使用のカートリッジが装着されたことを認識させることができるカートリッジを提供することにある。
【課題を解決するための手段】
【０００６】
（１）上記した目的を達成するため、本発明のカートリッジは、現像剤を収容するように構成される筐体と、駆動力を受けるように構成される駆動受け部と、駆動受け部からの駆動力を受けることにより回転するように構成される回転体であって、回転しながら回転体の回転軸線と平行な軸線方向に移動するように構成される回転体と、回転体からの駆動力を受けることにより軸線方向に移動するように構成される被検知体とを備える。
【０００７】
回転体は、本体部と、作用部と、被作用部とを備える。本体部は、軸線方向において被検知体に向かい合う第１面と、軸線方向において第１面とは反対側に位置する第２面とを有する。作用部は、第１面に配置され、被検知体に、被検知体を軸線方向に移動させるための力を付与するように構成される。被作用部は、第２面に配置され、回転体に、回転体を軸線方向に移動させるための力を付与するように構成される。
【０００８】
このような構成によれば、回転体は、被検知体に向かい合う第１面に作用部を有し、筐体に向かい合う第２面に被作用部を有している。そして、回転体は、被作用部によって、回転体自体を軸線方向外方に移動させるとともに、作用部によって被検知体を軸線方向外方に移動させることができる。
【０００９】
その結果、外部の構成に、未使用のカートリッジが装着されたことを認識させることができる。
【００１０】
また、１つの作用部で被検知体を移動させる場合と比べて、被検知体を軸線方向に大きく移動させることができ、被検知部を外部の構成に安定に検知させることができる。
（２）本発明のカートリッジは、現像剤を担持するように構成される現像剤担持体をさらに備えてもよい。
【００１１】
このような構成によれば、現像剤担持体を有する構成において、被検知部を保護することができながら、被検知部を外部の構成に安定に検知させることができる。
（３）作用部と被作用部とは、回転軸線に直交する径方向において、互いに異なる位置に配置されていてもよい。
【００１２】
このような構成によれば、作用部と被作用部とを効率よく配置することができる。
【００１３】
これにより、軸線方向に小型化を図ることができる。
（４）被検知体は、作用部が当接する第１の当接部を有してもよい。筐体は、被作用部が当接する第２の当接部を有してもよい。
【００１４】
このような構成によれば、作用部を第１の当接部に当接させるとともに、被作用部を第２の当接部に当接させて、簡易な構成で被検知体を移動させることができる。
（５）作用部および第１の当接部の少なくとも一方は、回転体の回転方向に向かうにつれて第１面に近接する方向へ傾斜する第１の傾斜部を有してもよい。被作用部および第２の当接部の少なくとも一方は、回転体の回転方向に向かうにつれて第２面に近接する方向へ傾斜する第２の傾斜部を有してもよい。
【００１５】
このような構成によれば、第１の傾斜部によって被検知体を軸線方向に円滑に移動させることができながら、第２の傾斜部によって回転体自体を軸線方向に円滑に移動させることができる。
【００１６】
その結果、被検知体を軸線方向に円滑に移動させることができ、被検知体を外部の構成に、より安定に検知させることができる。
（６）回転体は、その回転途中において、作用部が第１の当接部のうちの第１面に最も近接する部分に当接するとともに、被作用部が第２の当接部のうちの第２面に最も近接する部分に当接する最大移動位置に配置されるように構成されてもよい。
【００１７】
このような構成によれば、回転体が最大移動位置に配置されたときには、作用部が第１の当接部のうちの第１面に最も近接する部分に当接することにより、被検知体が回転体の第１面から最も離間する。また、被作用部が第２の当接部のうちの第２面に最も近接する部分に当接することにより、回転体が筐体から最も離間する。
【００１８】
そのため、回転体が最大移動位置に配置されたときに、被検知体を筐体から最も軸線方向外方へ進出させることができる。
【００１９】
その結果、回転体が最大移動位置に配置されたときに、被検知体を外部の構成に、より一層安定に検知させることができる。
（７）本発明のカートリッジは、軸線方向において被検知体に対して回転体と反対側から向かい合う被覆部を有する被覆部材をさらに備えてもよい。
【００２０】
このような構成によれば、被検知部が外部の構成に検知されないときには、被検知体を被覆部で被覆して、周辺の部材との干渉を確実に防止することができる。
（８）本発明のカートリッジは、被覆部と被検知体とに当接し、被検知体を回転体に向かって付勢する付勢部材をさらに備えてもよい。
【００２１】
このような構成によれば、付勢部材の付勢力により、被検知体を、被覆部から回転体に向かう方向へ確実に退避させることができる。
（９）被覆部材および筐体の少なくとも一方は、回転体および被検知体を支持する支持部を備えてもよい。
【００２２】
このような構成によれば、被覆部材および筐体の少なくとも一方を利用して、部品点数の低減を図りながら、回転体および被検知体を支持することができる。
（１０）筐体は、内部に現像剤を充填するための充填口と、充填口を閉鎖する閉鎖部材とを有してもよい。支持部は、閉鎖部材に備えられてもよい。
【００２３】
このような構成によれば、充填口を閉鎖する閉鎖部材を利用して、部品点数の低減を図りながら、回転体および被検知体を支持することができる。
（１１）本発明のカートリッジは、駆動受け部からの駆動力を受けて回転するように構成される伝達部材であって、回転体に駆動力を伝達するように構成される伝達部と、伝達部と異なる位置に設けられ、伝達部材の回転に伴って移動するように構成される係合部とを有する伝達部材をさらに備えてもよい。回転体は、伝達部に当接するように構成される被伝達部と、係合部に当接するように構成される被係合部とを備え、被伝達部と伝達部との当接が解除される第１位置から、係合部が被係合部に当接することにより、被伝達部が伝達部に当接する第２位置へ移動するように構成されてもよい。
【００２４】
このような構成によれば、外部からの駆動力が駆動受け部に入力された後、伝達部材の係合部が回転体の被係合部に当接するまでの間、回転体を停止させた状態でカートリッジを動作させることができる。
【００２５】
その後、伝達部材の係合部が回転体の被係合部に当接することにより、伝達部材から回転体へ駆動力を伝達することができる。
【００２６】
これにより、カートリッジが安定に動作した後に、伝達部材から回転体へ駆動力を伝達して、被検知体を移動させることができる。
【００２７】
その結果、カートリッジが安定に動作している状態で、被検知部を、外部の構成に検知させることができる。
（１２）被検知体は、回転を規制された状態で軸線方向に移動するように構成されてもよい。
【００２８】
このような構成によれば、被検知体を、軸線方向にのみ移動させることができる。
【００２９】
そのため、被検知体が回転する場合と比べて、被検知体の移動軌跡の省スペース化を図ることができる。
【発明の効果】
【００３０】
本発明のカートリッジによれば、外部の構成に、未使用のカートリッジが装着されたことを認識させることができる。
【図面の簡単な説明】
【００３１】
【図１】図１は、本発明のカートリッジの第１実施形態としての現像カートリッジを示し、左後方から見た斜視図である。
【図２】図２は、図１に示す現像カートリッジが使用されるプリンタの中央断面図である。
【図３】図３Ａは、図１に示す現像カートリッジにおいてギアカバーを外した状態を示し、左後方から見た斜視図である。図３Ｂは、図３Ａに示す現像カートリッジの左側面図である。
【図４】図４は、図３Ａに示す現像カートリッジの左後方から見た分解斜視図である。
【図５】図５Ａは、図４に示すトナーキャップの後下方から見た斜視図である。図５Ｂは、図５Ａに示すトナーキャップの左下方から見た斜視図である。
【図６】図６Ａは、図４に示す欠け歯ギアの左側面図である。図６Ｂは、図６Ａに示す欠け歯ギアの右側面図である。図６Ｃは、図６Ａに示す欠け歯ギアの底面図である。
【図７】図７Ａは、図４に示す検知部材の左下方から見た斜視図である。図７Ｂは、図７Ａに示す検知部材の後下方から見た斜視図である。図７Ｃは、図７Ａに示す検知部材を示し、右後方から見た斜視図である。
【図８】図８は、図１に示すギアカバーの右下方から見た斜視図である。
【図９】図９Ａは、図１のＡ−Ａ断面図である。図９Ｂは、図３Ａに示す現像カートリッジの正面図である。
【図１０】図１０Ａは、現像カートリッジの新品検知動作を説明する説明図であって、アジテータギアの当接リブが欠け歯ギアのボスに当接し、欠け歯ギアの歯部がアジテータギアに噛み合う状態を示す。図１０Ｂは、図１０Ａに続いて現像カートリッジの新品検知動作を説明する説明図であって、欠け歯ギアの第１スライド部が検知部材の第１変位部の第１傾斜面を摺動する途中の状態を示す現像カートリッジの正面図である。
【図１１】図１１Ａは、図１０Ｂに続いて現像カートリッジの新品検知動作を説明する説明図であって、欠け歯ギアの第１スライド部が検知部材の第１変位部の平行面に当接するとともに、欠け歯ギアの第２スライド部がトナーキャップの第１変位部の平行面に当接し、検知部材が進出位置に位置して、アクチュエータが検知位置に位置した状態を示す。図１１Ｂは、図１１Ａに続いて現像カートリッジの新品検知動作を説明する説明図であって、欠け歯ギアの第１スライド部が検知部材の第１変位部から離れ、検知部材が右方に退避して、アクチュエータが非検知位置に位置した状態を示す。図１１Ｃは、図１１Ｂに続いて現像カートリッジの新品検知動作を説明する説明図であって、欠け歯ギアの第１スライド部が検知部材の第２変位部の平行面に当接し、検知部材が進出位置に位置して、アクチュエータが検知位置に位置した状態を示す。
【図１２】図１２は、図１１Ａにおける状態の現像カートリッジを示し、左後方から見た斜視図である。
【図１３】図１３Ａは、図１１Ｃに続いて現像カートリッジの新品検知動作を説明する説明図であって、欠け歯ギアの歯部とアジテータギアとの噛み合いが解除された状態を示す。図１３Ｂは、図１３Ａに示す現像カートリッジの正面図であって、検知部材が退避位置に位置して、アクチュエータが非検知位置に位置した状態を示す。
【図１４】図１４は、現像カートリッジの第１の変形例の左下方から見た分解斜視図である。
【図１５】図１５Ａは、図１４に示す検知部材の右前方から見た斜視図である。図１５Ｂは、図１４に示す欠け歯ギアの左下方から見た斜視図である。図１５Ｃは、図１４に示す欠け歯ギアの右前方から見た斜視図である。
【図１６】図１６Ａは、現像カートリッジの第２の変形例を説明するための説明図である。図１６Ｂは、現像カートリッジの第３の変形例を説明するための説明図である。図１６Ｃは、現像カートリッジの第４の変形例を説明するための説明図である。
【図１７】図１７は、現像カートリッジの第５の変形例を説明するための説明図である。
【図１８】図１８Ａは、現像カートリッジの第６の変形例を説明するための説明図であって、右下方から見た斜視図である。図１８Ｂは、現像カートリッジの第６の変形例を説明するための説明図であって、右前方から見た斜視図である。
【発明を実施するための形態】
【００３２】
１．現像カートリッジの概略
図１および図２に示すように、カートリッジの一例としての現像カートリッジ１は、現像剤担持体の一例としての現像ローラ２と、供給ローラ３と、層厚規制ブレード４と、トナー収容部５とを備えている。
【００３３】
なお、以下の説明において、現像カートリッジ１の方向に言及するときには、現像カートリッジ１を水平に載置した状態を基準とする。具体的には、図１に示す方向矢印を基準とする。左右方向は、軸線方向の一例である。
【００３４】
現像ローラ２は、現像カートリッジ１の後端部に回転可能に支持されている。現像ローラ２は、左右方向に延びる略円柱形状を有している。
【００３５】
供給ローラ３は、現像ローラ２の前下方に配置されている。供給ローラ３は、現像カートリッジ１に回転可能に支持されている。供給ローラ３は、左右方向に延びる略円柱形状を有している。供給ローラ３は、現像ローラ２の前下端部に接触している。
【００３６】
層厚規制ブレード４は、現像ローラ２の前上方に配置されている。層厚規制ブレード４は、現像ローラ２の前端部に接触している。
【００３７】
トナー収容部５は、供給ローラ３および層厚規制ブレード４の前方に配置されている。トナー収容部５は、現像剤の一例としてのトナーを収容するように構成されている。トナー収容部５は、アジテータ６を備えている。
【００３８】
アジテータ６は、トナー収容部５内に回転可能に支持されている。
２．現像カートリッジの使用態様
図２に示すように、現像カートリッジ１は、画像形成装置１１に装着されて使用される。
【００３９】
画像形成装置１１は、電子写真方式のモノクロプリンタである。画像形成装置１１は、外部の一例としての装置本体１２と、プロセスカートリッジ１３と、スキャナユニット１４と、定着ユニット１５とを備えている。
【００４０】
装置本体１２は、略ボックス形状を有している。装置本体１２は、開口部１６と、フロントカバー１７と、給紙トレイ１８と、排紙トレイ１９とを有している。
【００４１】
開口部１６は、装置本体１２の前端部に配置されている。開口部１６は、プロセスカートリッジ１３の通過を許容するように、装置本体１２の内外を前後方向に連通している。
【００４２】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００４３】
給紙トレイ１８は、装置本体１２の底部に配置されている。給紙トレイ１８は、用紙Ｐを収容するように構成されている。
【００４４】
排紙トレイ１９は、装置本体１２の上壁の中央に配置されている。排紙トレイ１９は、用紙Ｐが載置されるように、装置本体１２の上面から下方へ凹んでいる。
【００４５】
プロセスカートリッジ１３は、装置本体１２の上下方向略中央に収容されている。プロセスカートリッジ１３は、装置本体１２に対して装着または離脱するように構成されている。プロセスカートリッジ１３は、ドラムカートリッジ２０と、上記した現像カートリッジ１とを備えている。
【００４６】
ドラムカートリッジ２０は、感光ドラム２１と、スコロトロン型帯電器２２と、転写ローラ２３とを備えている。
【００４７】
感光ドラム２１は、ドラムカートリッジ２０の後端部に回転可能に支持されている。
【００４８】
スコロトロン型帯電器２２は、感光ドラム２１の後上方において、感光ドラム２１と間隔を隔てて配置されている。
【００４９】
転写ローラ２３は、感光ドラム２１の下方に配置されている。転写ローラ２３は、感光ドラム２１の下端部と接触している。
【００５０】
現像カートリッジ１は、感光ドラム２１の前方において、現像ローラ２が感光ドラム２１の前端部に接触するように、ドラムカートリッジ２０に離脱可能に装着されている。
【００５１】
スキャナユニット１４は、プロセスカートリッジ１３の上方に配置されている。スキャナユニット１４は、感光ドラム２１に向けて画像データに基づくレーザービームを出射するように構成されている。
【００５２】
定着ユニット１５は、プロセスカートリッジ１３の後方に配置されている。定着ユニット１５は、加熱ローラ２４と、加熱ローラ２４の後下端部に圧接される加圧ローラ２５とを備えている。
【００５３】
画像形成装置１１が画像形成動作を開始すると、スコロトロン型帯電器２２は、感光ドラム２１の表面を一様に帯電する。スキャナユニット１４は、感光ドラム２１の表面を露光する。これにより、画像データに基づく静電潜像が、感光ドラム２１の表面に形成される。
【００５４】
また、アジテータ６は、トナー収容部５内のトナーを撹拌して、供給ローラ３に供給する。供給ローラ３は、アジテータ６によって供給されたトナーを現像ローラ２に供給する。このとき、トナーは、現像ローラ２と供給ローラ３との間で正極性に摩擦帯電され、現像ローラ２に担持される。層厚規制ブレード４は、現像ローラ２に担持されたトナーの層厚を一定厚さに規制する。
【００５５】
そして、現像ローラ２に担持されたトナーは、感光ドラム２１表面の静電潜像に供給される。これにより、トナー像が、感光ドラム２１の表面に担持される。
【００５６】
用紙Ｐは、給紙トレイ１８から、各種ローラの回転により、所定のタイミングで１枚ずつ、感光ドラム２１と転写ローラ２３との間に給紙される。感光ドラム２１表面のトナー像は、用紙Ｐが感光ドラム２１と転写ローラ２３との間を通過するときに、用紙Ｐに転写される。
【００５７】
その後、用紙Ｐは、加熱ローラ２４と加圧ローラ２５との間を通過するときに加熱および加圧される。これにより、用紙Ｐ上のトナー像は、用紙Ｐに熱定着される。その後、用紙Ｐは、排紙トレイ１９に排紙される。
３．現像カートリッジの詳細
現像カートリッジ１は、図１に示すように、筐体の一例としての現像フレーム３１と、駆動部３２とを備えている。
（１）現像フレーム
現像フレーム３１は、図３Ａおよび図４に示すように、略ボックス形状を有している。現像フレーム３１は、トナー収容部５を有し、現像ローラ２、供給ローラ３、層厚規制ブレード４およびアジテータ６を支持している。現像フレーム３１は、アイドルギア支持軸３０と、充填口の一例としてのトナー充填口３３と、閉鎖部材の一例としてのトナーキャップ３４とを有している。
【００５８】
アイドルギア支持軸３０は、現像フレーム３１の左壁の上端部の前後方向略中央に配置されている。アイドルギア支持軸３０は、現像フレーム３１の左壁から左方へ向かって延びる略円柱形状を有している。アイドルギア支持軸３０は、現像フレーム３１の左壁に一体的に形成されている。
【００５９】
トナー充填口３３は、現像フレーム３１の左壁の前端部に配置されている。トナー充填口３３は、側面視略円形状を有し、現像フレーム３１の左壁を左右方向に貫通している。
【００６０】
トナーキャップ３４は、トナー充填口３３を閉鎖するように、トナー充填口３３に嵌まっている。トナーキャップ３４は、図５Ａおよび図５Ｂに示すように、キャップ本体３５と、支持軸３６と、第２の当接部の一例としての変位部４０と、第１ストッパ３４Ａと、第２ストッパ３４Ｂとを備えている。
【００６１】
キャップ本体３５は、左右方向に延び、その左端部が閉鎖された略円筒形状を有している。キャップ本体３５は、閉鎖部３５Ａと、挿入部３５Ｂとを備えている。
【００６２】
閉鎖部３５Ａは、キャップ本体３５の左端部に配置されている。閉鎖部３５Ａは、左右方向に厚みを有する略円板形状を有している。閉鎖部３５Ａの外径は、トナー充填口３３の内径よりも大きい。
【００６３】
挿入部３５Ｂは、閉鎖部３５Ａの右面から右方に向かって延びる略円筒形状を有している。挿入部３５Ｂの外径は、閉鎖部３５Ａの外径よりも小さく、トナー充填口３３の内径よりもわずかに大きい。挿入部３５Ｂは、トナー充填口３３内に挿入される。
【００６４】
支持軸３６は、閉鎖部３５Ａの左面の略中央から左方へ延びる略円柱形状を有している。支持軸３６の左端部は、開放されている。
【００６５】
変位部４０は、閉鎖部３５Ａの周縁部に配置されている。変位部４０は、閉鎖部３５Ａの左面から左方へ突出し、支持軸３６の周囲を囲うように閉鎖部３５Ａの周方向に延びる側面視略Ｃ字形の平板形状を有している。変位部４０は、第２の傾斜部の一例としての第１傾斜面４０Ａと、平行面４０Ｂと、第２傾斜面４０Ｃとを有している。
【００６６】
第１傾斜面４０Ａは、変位部４０の左側面視反時計回り方向上流端部に配置されている。第１傾斜面４０Ａは、閉鎖部３５Ａの左面に連続し、左側面視反時計回り方向へ向かうにつれて左方へ傾斜している。
【００６７】
平行面４０Ｂは、第１傾斜面４０Ａの左側面視反時計回り方向下流に連続し、左側面視反時計回り方向に延びている。平行面４０Ｂは、閉鎖部３５Ａの左面からの左右方向距離が一定となるように、閉鎖部３５Ａの左面と平行している。
【００６８】
第２傾斜面４０Ｃは、変位部４０の左側面視反時計回り方向上流端部に配置されている。第２傾斜面４０Ｃは、平行面４０Ｂの左側面視反時計回り方向下流に連続し、左側面視反時計回り方向へ向かうにつれて右方へ傾斜している。
【００６９】
第１ストッパ３４Ａは、第１傾斜面４０Ａの後下方に間隔を隔てて対向配置されている。第１ストッパ３４Ａは、閉鎖部３５Ａの左面から左方へ突出し、閉鎖部３５Ａの径方向に延びる略平板形状を有している。
【００７０】
第２ストッパ３４Ｂは、第２傾斜面４０Ｃの下方に間隔を隔てて対向配置されている。第２ストッパ３４Ｂは、閉鎖部３５Ａの左面から左方へ突出し、閉鎖部３５Ａの周方向に延びる略平板形状を有している。
（２）駆動部
駆動部３２は、図１および図３Ａに示すように、現像カートリッジ１の左端部において、現像フレーム３１の左方に配置されている。駆動部３２は、ギア列３７と、検知ユニット３８と、被覆部材の一例としてのギアカバー３９と、付勢部材の一例としての圧縮ばね６３とを備えている。
（２−１）ギア列
ギア列３７は、図３Ａおよび図３Ｂに示すように、駆動受け部の一例としての現像カップリング４１と、現像ギア４２と、供給ギア４３と、アイドルギア４４と、伝達部材の一例としてのアジテータギア４５とを備えている。
【００７１】
現像カップリング４１は、現像カートリッジ１の後端部に配置されている。現像カップリング４１は、左右方向に延びる略円柱形状を有している。現像カップリング４１は、現像フレーム３１の左壁に一体的に設けられる図示しない支持軸に回転可能に支持されている。現像カップリング４１は、ギア部４６と、カップリング部４７とを備えている。
【００７２】
ギア部４６は、現像カップリング４１の略右半分に配置されている。ギア部４６は、左右方向に延び、左端部が閉鎖された略円筒形状を有している。ギア部４６は、その全周にわたってギア歯を有している。
【００７３】
カップリング部４７は、ギア部４６の左壁から左方へ延び、左端部が開放された略円筒形状を有している。カップリング部４７は、ギア部４６と中心軸線を共有している。カップリング部４７は、１対の突部４７Ａを有している。
【００７４】
１対の突部４７Ａのそれぞれは、カップリング部４７の径方向内方の空間４７Ｂ内において、カップリング部４７の径方向に互いに間隔を隔てて配置されている。１対の突部４７Ａのそれぞれは、カップリング部４７の内周面から径方向内方へ突出し、側面視略矩形状を有している。
【００７５】
現像ギア４２は、現像カップリング４１の後下方に配置されている。現像ギア４２は、左右方向に厚みを有する略円板形状を有している。現像ギア４２は、その全周にわたってギア歯を有している。現像ギア４２は、現像ローラ２の回転軸の左端部に相対回転不能に支持されている。現像ギア４２は、現像カップリング４１のギア部４６の後下端部に噛み合っている。
【００７６】
供給ギア４３は、現像カップリング４１の下方に配置されている。供給ギア４３は、左右方向に厚みを有する略円板形状を有している。供給ギア４３は、その全周にわたって、ギア歯を有している。供給ギア４３は、供給ローラ３の回転軸の左端部に相対回転不能に支持されている。供給ギア４３は、現像カップリング４１のギア部４６の下端部に噛み合っている。
【００７７】
アイドルギア４４は、現像カップリング４１の前上方に配置されている。アイドルギア４４は、アイドルギア支持軸３０に回転可能に支持されている。アイドルギア４４は、大径ギア４４Ａと、小径ギア４４Ｂとを一体に有している。
【００７８】
大径ギア４４Ａは、アイドルギア４４の左端部に配置されている。大径ギア４４Ａは、左右方向に厚みを有する略円板形状を有している。大径ギア４４Ａは、その全周にわたってギア歯を有している。大径ギア４４Ａは、現像カップリング４１のギア部４６の前上端部に噛み合っている。
【００７９】
小径ギア４４Ｂは、大径ギア４４Ａの右面から右方に向かって延びる略円柱形状を有している。小径ギア４４Ｂは、大径ギア４４Ａと中心軸線を共有している。小径ギア４４Ｂの外径は、大径ギア４４Ａの外径よりも小さい。小径ギア４４Ｂは、その全周にわたってギア歯を有している。
【００８０】
アジテータギア４５は、アイドルギア４４の前下方に配置されている。アジテータギア４５は、アジテータ６の回転軸の左端部に相対回転不能に支持されている。アジテータギア４５は、第１ギア部４５Ａと、伝達部の一例としての第２ギア部４５Ｂと、係合部の一例としての当接リブ４５Ｃとを有している。
【００８１】
第１ギア部４５Ａは、アジテータギア４５の右端部に配置されている。第１ギア部４５Ａは、左右方向に厚みを有する略円板形状を有している。第１ギア部４５Ａは、その全周にわたってギア歯を有している。第１ギア部４５Ａは、アイドルギア４４の小径ギア４４Ｂの前下端部に噛み合っている。
【００８２】
第２ギア部４５Ｂは、第１ギア部４５Ａの左面から左方へ延びる略円筒形状を有している。第２ギア部４５Ｂは、第１ギア部４５Ａと中心軸線を共有している。第２ギア部４５Ｂの外径は、第１ギア部４５Ａの外径よりも小さい。第２ギア部４５Ｂは、その全周にわたってギア歯を有している。第２ギア部４５Ｂは、アイドルギア４４の大径ギア４４Ａに対して間隔を隔てている。
【００８３】
当接リブ４５Ｃは、第２ギア部４５Ｂよりも径方向外方において、第１ギア部４５Ａの左面から左方に向かって突出している。当接リブ４５Ｃは、アジテータギア４５の径方向外方へ向うにつれて左側面視反時計回り方向に傾斜するように延び、略平板形状を有している。
（２−２）検知ユニット
検知ユニット３８は、回転体の一例としての欠け歯ギア５１と、被検知体の一例としての検知部材５２とを備えている。
（２−２−１）欠け歯ギア
欠け歯ギア５１は、図６Ａ、図６Ｂおよび図６Ｃに示すように、左右方向に厚みを有する略円板形状を有している。欠け歯ギア５１は、本体部５０と、被係合部の一例としてのボス５５と、作用部の一例としての第１スライド部５４と、被作用部の一例としての第２スライド部５６とを備えている。
【００８４】
本体部５０は、左右方向に厚みを有する略円板形状を有している。本体部５０の左面Ｓ１は、第１面の一例である。本体部５０の右面Ｓ２は、第２面の一例である。本体部５０は、被伝達部の一例としての歯部５０Ａと、欠け歯部５０Ｂと、挿通穴５０Ｃと、第１溝部５０Ｄと、第２溝部５０Ｅとを有している。
【００８５】
歯部５０Ａは、本体部５０の周方向において約２／３を占める部分であり、本体部５０のうち、中心角約２４０°の側面視略扇形状に相当する部分である。歯部５０Ａは、周面すべてにわたってギア歯を有している。
【００８６】
欠け歯部５０Ｂは、本体部５０の周方向において歯部５０Ａ以外の約１／３を占める部分であり、本体部５０のうち、中心角約１２０°の側面視略扇形状に相当する部分である。欠け歯部５０Ｂは、ギア歯を有していない。
【００８７】
挿通穴５０Ｃは、本体部５０の径方向中央に配置されている。挿通穴５０Ｃは、本体部５０を左右方向に貫通し、側面視略円形状を有している。挿通穴５０Ｃの内径は、トナーキャップ３４の支持軸３６の外径とほぼ同じである。
【００８８】
第１溝部５０Ｄは、図６Ａおよび図９Ａに示すように、挿通穴５０Ｃの径方向外方に間隔を隔てて配置されている。第１溝部５０Ｄは、本体部５０の左面Ｓ１から右方へ凹み、挿通穴５０Ｃを囲むように本体部５０の周方向に延びている。第１溝部５０Ｄは、左側面視略円環形状を有している。
【００８９】
第２溝部５０Ｅは、挿通穴５０Ｃの径方向外方、かつ、第１溝部５０Ｄの径方向内方に、挿通穴５０Ｃおよび第１溝部５０Ｄと間隔を隔てて配置されている。第２溝部５０Ｅは、本体部５０の右面Ｓ２から左方へ凹み、挿通穴５０Ｃを囲むように本体部５０の周方向に延びている。第２溝部５０Ｅは、右側面視略円環形状を有している。
【００９０】
ボス５５は、欠け歯部５０Ｂの左側面視反時計回り方向の上流端部に配置されている。ボス５５は、欠け歯部５０Ｂの右面から右方に突出する略円柱形状を有している。
【００９１】
第１スライド部５４は、第１溝部５０Ｄの左側面視反時計回り方向上流端部の左側面視反時計回り方向上流に配置されている。第１スライド部５４は、欠け歯部５０Ｂの左面から左方に突出し、欠け歯ギア５１の径方向に延びる略平板形状を有している。
【００９２】
第２スライド部５６は、左右方向に投影したときに第１スライド部５４の径方向内方に隣接するように、第２溝部５０Ｅ内に配置されている。第２スライド部５６は、第２溝部５０Ｅの底面から右方に突出し、欠け歯ギア５１の径方向に延びる略平板形状を有している。
（２−２−２）検知部材
検知部材５２は、図４および図７Ａに示すように、左右方向に延びる略円筒形状を有している。検知部材５２は、筒部６４と、鍔部６５と、被検知部の一例としての検知突起５７と、複数、具体的には２つの第１の当接部の一例としての変位部５８と、ストッパ６２とを備えている。
【００９３】
筒部６４は、検知部材５２の径方向略中央に配置されている。筒部６４は、外筒６４Ａと、内筒６４Ｂとを有している。
【００９４】
外筒６４Ａは、左右方向に延び、右端部が閉鎖された略円筒形状を有している。外筒６４Ａは、挿通穴６４Ｃを有している。
【００９５】
挿通穴６４Ｃは、外筒６４Ａの右壁６４Ｅの径方向中央に配置されている。挿通穴６４Ｃは、外筒６４Ａの右壁６４Ｅを左右方向に貫通し、側面視略円形状を有している。挿通穴６４Ｃの中心は、左右方向に投影したときに外筒６４Ａの中心軸線と一致している。
【００９６】
内筒６４Ｂは、外筒６４Ａの径方向内方に配置されている。内筒６４Ｂは、外筒６４Ａの右壁６４Ｅの径方向中央において挿通穴６４Ｃの周縁部から連続して左方へ延び、略円筒形状を有している。内筒６４Ｂの中心軸線は、外筒６４Ａの中心軸線と一致している。内筒６４Ｂの内径は、挿通穴６４Ｃの内径と同じである。内筒６４Ｂは、図７Ｃに示すように、１対の係止突起６４Ｄを有している。
【００９７】
１対の係止突起６４Ｄのそれぞれは、内筒６４Ｂの径方向両方の内面にそれぞれ配置されている。１対の係止突起６４Ｄのそれぞれは、内筒６４Ｂの内面から径方向内方へ突出し、周方向に延びる突条である。
【００９８】
鍔部６５は、外筒６４Ａの左端部の径方向外面から径方向外方へ突出し、外筒６４Ａの周方向に延びている。鍔部６５は、その後端部が周方向において約１／４にわたって切り欠かれた側面視略Ｃ字の板形状を有している。言い換えると、鍔部６５の切欠部分６５Ａは、鍔部６５の後端縁から前方に向かって切り欠かれるように形成されている。鍔部６５の切欠部分６５Ａは、検知部材５２の切欠部の一例である。
【００９９】
検知突起５７は、鍔部６５の上端部に配置されている。検知突起５７は、鍔部６５の左面から左方へ突出し、検知部材５２の径方向に延びる略平板形状を有している。
【０１００】
変位部５８は、図７Ｂおよび図７Ｃに示すように、鍔部６５の周縁部に配置されている。変位部５８は、鍔部６５の周縁部の右面から右方へ突出し、鍔部６５の周方向に延びる側面視略Ｃ字形の平板形状を有している。変位部５８は、第１変位部５９と、第２変位部６０と、第３変位部６１とを有している。
【０１０１】
第１変位部５９は、変位部５８の左側面視反時計回り方向上流端部に配置されている。第１変位部５９は、傾斜部および第１の傾斜部の一例としての第１傾斜面５９Ａと、第１平行面５９Ｂと、第２傾斜面５９Ｃと、第２平行面５９Ｄとを有している。
【０１０２】
第１傾斜面５９Ａは、第１変位部５９の左側面視反時計回り方向上流端部に配置されている。第１傾斜面５９Ａは、鍔部６５の右面に連続し、左側面視反時計回り方向へ向かうにつれて右方へ傾斜している。
【０１０３】
第１平行面５９Ｂは、第１傾斜面５９Ａの左側面視反時計回り方向下流に連続し、左側面視反時計回り方向に延びている。第１平行面５９Ｂは、鍔部６５の右面からの左右方向距離が一定となるように、鍔部６５の右面と平行している。
【０１０４】
第２傾斜面５９Ｃは、第１平行面５９Ｂの左側面視反時計回り方向下流に連続し、左側面視反時計回り方向へ向かうにつれて左方へ傾斜している。
【０１０５】
第２平行面５９Ｄは、第２傾斜面５９Ｃの左側面視反時計回り方向下流に連続し、左側面視反時計回り方向に延びている。第２平行面５９Ｄは、鍔部６５の右面からの左右方向距離が一定となるように、鍔部６５の右面と平行している。
【０１０６】
第２変位部６０は、第１変位部５９の左側面視反時計回り方向下流に連続して配置されている。第２変位部６０は、傾斜部および第２の傾斜部の一例としての第１傾斜面６０Ａと、第１平行面６０Ｂと、第２傾斜面６０Ｃと、第２平行面６０Ｄとを有している。
【０１０７】
第１傾斜面６０Ａは、第２変位部６０の左側面視反時計回り方向上流端部に配置されている。第１傾斜面６０Ａは、第１変位部５９の第２平行面５９Ｄに連続し、左側面視反時計回り方向へ向かうにつれて右方へ傾斜している。
【０１０８】
第１平行面６０Ｂは、第１傾斜面６０Ａの左側面視反時計回り方向下流に連続し、左側面視反時計回り方向に延びている。第１平行面６０Ｂは、鍔部６５の右面からの左右方向距離が一定となるように、鍔部６５の右面と平行している。
【０１０９】
第２傾斜面６０Ｃは、第１平行面６０Ｂの左側面視反時計回り方向下流に連続し、左側面視反時計回り方向へ向かうにつれて左方へ傾斜している。
【０１１０】
第２平行面６０Ｄは、第２傾斜面６０Ｃの左側面視反時計回り方向下流に連続し、左側面視反時計回り方向に延びている。第２平行面６０Ｄは、鍔部６５の右面からの左右方向距離が一定となるように、鍔部６５の右面と平行している。
【０１１１】
第３変位部６１は、第２変位部６０の左側面視反時計回り方向下流に連続して配置されている。第３変位部６１は、傾斜部および第２の傾斜部の一例としての第１傾斜面６１Ａと、平行面６１Ｂと、第２傾斜面６１Ｃとを有している。
【０１１２】
第１傾斜面６１Ａは、第３変位部６１の左側面視反時計回り方向上流端部に配置されている。第１傾斜面６１Ａは、第２変位部６０の第２平行面６０Ｄに連続し、左側面視反時計回り方向へ向かうにつれて右方へ傾斜している。
【０１１３】
平行面６１Ｂは、第１傾斜面６１Ａの左側面視反時計回り方向下流に連続し、左側面視反時計回り方向に延びている。平行面６１Ｂは、鍔部６５の右面からの左右方向距離が一定となるように、鍔部６５の右面と平行している。
【０１１４】
第２傾斜面６１Ｃは、平行面６１Ｂの左側面視反時計回り方向下流に連続し、左側面視反時計回り方向へ向かうにつれて左方へ傾斜している。
【０１１５】
ストッパ６２は、鍔部６５の左側面視反時計回り方向上流端部から右方へ突出し、鍔部６５の径方向に延びる略平板形状を有している。ストッパ６２は、左側面視反時計回り方向上流の変位部５８の第１傾斜面５９Ａに対して、左側面視反時計回り方向上流に間隔を隔てて向かい合っている。
（２−３）ギアカバーおよび圧縮ばね
ギアカバー３９は、図１および図８に示すように、現像フレーム３１の左端部に支持されている。ギアカバー３９は、左右方向に延び、左端部が閉鎖された略角筒形状を有している。ギアカバー３９は、ギア列３７および検知ユニット３８を被覆している。ギアカバー３９は、カップリングカラー８１と、検知部材収容部８２とを備えている。
【０１１６】
カップリングカラー８１は、ギアカバー３９の後端部に配置されている。カップリングカラー８１は、ギアカバー３９の左壁を貫通し、左右方向に延びる略円筒形状を有している。カップリングカラー８１の内径は、現像カップリング４１のカップリング部４７の外径とほぼ同じである。現像カップリング４１のカップリング部４７は、カップリングカラー８１内に回転可能に嵌まっている。
【０１１７】
検知部材収容部８２は、ギアカバー３９の前端部に配置されている。検知部材収容部８２は、ギアカバー３９の左面から左方に延び、左端部が閉鎖された略円筒形状を有している。検知部材収容部８２の左壁８２Ａは、被覆部の一例である。なお、検知部材収容部８２の右端部は、ギアカバー３９の内部に連通している。検知部材収容部８２は、検知部材５２を収容している。検知部材収容部８２は、スリット７１と、支持軸７３とを有している。
【０１１８】
スリット７１は、検知部材収容部８２の上端部に配置されている。スリット７１は、検知部材収容部８２の左壁８２Ａを左右方向に貫通し、検知部材収容部８２の径方向に延びている。
【０１１９】
支持軸７３は、検知部材収容部８２の左壁８２Ａの径方向中央から右方へ延びる略円柱形状を有している。支持軸７３の外径は、検知部材５２の挿通穴６４Ｃの内径と同じである。支持軸７３は、ガイド溝７４と、係止爪７５と、突部７８とを有している。
【０１２０】
ガイド溝７４は、支持軸７３の前後方向両端部に配置されている。ガイド溝７４は、支持軸７３の外周面から径方向内方へ凹み、左右方向に延びている。
【０１２１】
係止爪７５は、ガイド溝７４の右端部内に配置されている。係止爪７５は、ガイド溝７４の径方向内面から径方向外方へ向って突出している。係止爪７５の径方向外面は、左方へ向かうにつれて径方向外方へ傾斜している。
【０１２２】
突部７８は、支持軸７３の右端部に配置されている。突部７８は、支持軸７３の右面から右方へ突出し、右方へ向かうにつれて小径となるように絞られた略円柱形状を有している。突部７８は、トナーキャップ３４の支持軸３６（図４参照）の左端部内に嵌まる。これにより、ギアカバー３９の支持軸７３は、トナーキャップ３４の支持軸３６とともに支持部を構成する。
【０１２３】
圧縮ばね６３は、図３Ａに示すように、左右方向に延びるコイルばねである。圧縮ばね６３の左端部は、ギアカバー３９の検知部材収容部８２の左壁８２Ａに当接する。圧縮ばね６３の右端部は、検知部材５２の外筒６４Ａの右壁６４Ｅに当接する。これにより、圧縮ばね６３は、検知部材５２を、常には、現像フレーム３１に向かうように右方へ付勢する。
（２−４）検知ユニットの組み付け状態
以下、検知ユニット３８の組み付け状態を説明する。
【０１２４】
欠け歯ギア５１は、図３Ａおよび図４に示すように、トナーキャップ３４の支持軸３６に回転可能に支持されている。
【０１２５】
トナーキャップ３４の支持軸３６は、欠け歯ギア５１の挿通穴５０Ｃ内に相対回転可能に嵌まっている。
【０１２６】
トナーキャップ３４の変位部４０は、図９Ａに示すように、欠け歯ギア５１の第２溝部５０Ｅ内に配置されている。欠け歯ギア５１の第２スライド部５６は、トナーキャップ３４の第１傾斜面４０Ａ（図５Ｂ参照）と第１ストッパ３４Ａ（図５Ｂ参照）との間に配置されている。また、欠け歯ギア５１は、現像フレーム３１に近接する近接位置に位置している。
【０１２７】
検知部材５２は、ギアカバー３９の支持軸７３に、回転不能、かつ、左右方向に移動可能に支持されている。
【０１２８】
ギアカバー３９の支持軸７３は、検知部材５２の挿通穴６４Ｃおよび内筒６４Ｂ内に嵌まっている。検知部材５２の係止突起６４Ｄ（図４Ｃ参照）は、係止爪７５（図８参照）よりも左方において、ガイド溝７４（図８参照）内に嵌まっている。これにより、検知部材５２は、その回転が規制されるとともに、右方へのそれ以上の移動が規制される。
【０１２９】
また、図１および図３Ａに示すように、検知突起５７の左端部は、ギアカバー３９のスリット７１内に配置されている。
【０１３０】
そして、図３Ａに示すように、現像カートリッジ１が未使用、すなわち新品の状態において、欠け歯ギア５１の歯部５０Ａの左側面視反時計回り方向下流端部は、アジテータギア４５の第２ギア部４５Ｂの前上方に間隔を隔てて配置されている。このときの欠け歯ギア５１の位置が、第１位置の一例である。
【０１３１】
また、図６Ａに示すように、検知部材５２の変位部５８の右端部は、欠け歯ギア５１の第１溝部５０Ｄ内に配置されている。欠け歯ギア５１の第１スライド部５４は、図９に示すように、検知部材５２の第１傾斜面５９Ａの後方に向かい合っている。また、検知部材５２は、検知突起５７がギアカバー３９内に退避する退避位置に位置している。
４．装置本体の詳細
装置本体１２は、図９Ｂに示すように、本体カップリング９０と、光学式センサ９１と、アクチュエータ９２と、制御部９３とを備えている。
【０１３２】
本体カップリング９０は、現像カートリッジ１の左方に位置するように、装置本体１２内に配置されている。本体カップリング９０は、左右方向に延びる略円柱形状を有している。本体カップリング９０は、装置本体１２のフロントカバー１７の開閉に連動して、フロントカバー１７が開放されたときに、現像カートリッジ１から離れるように左方へ退避し、フロントカバー１７が閉鎖されたときに、現像カートリッジ１へ向って右方へ進出する。本体カップリング９０は、係合部９０Ａを備えている。
【０１３３】
係合部９０Ａは、本体カップリング９０の右端部に配置されている。係合部９０Ａは、本体カップリング９０の右端部から右方へ突出する略円柱形状を有している。係合部９０Ａは、本体カップリング９０が現像カートリッジ１に向かって進出したときに、現像カップリング４１のカップリング部４７の径方向内方の空間４７Ｂ（図１参照）内に挿入される。係合部９０Ａは、１対の係合突起９０Ｂを有している。
【０１３４】
１対の係合突起９０Ｂのそれぞれは、係合部９０Ａの径方向両面のそれぞれから径方向外方へ延びる側面視略矩形の柱形状を有している。１対の係合突起９０Ｂのそれぞれは、係合部９０Ａがカップリング部４７の径方向内方の空間４７Ｂ（図１参照）内に挿入されたときに、カップリング部４７の１対の突部４７Ａのそれぞれに向かい合う。
【０１３５】
光学式センサ９１は、現像カートリッジ１の左上方に位置するように、装置本体１２内に配置されている。光学式センサ９１は、互いに間隔を隔てて向かい合う発光素子および受光素子を有している。発光素子は、常時、受光素子に向かって検出光を発光している。受光素子は、発光素子からの検出光を受光する。光学式センサ９１は、受光素子が検出光を受光したときには、受光信号を発信し、受光素子が検出光を受光しないときには、受光信号を発信しない。光学式センサ９１は、制御部９３に電気的に接続されている。
【０１３６】
アクチュエータ９２は、光学式センサ９１の右方に配置されている。アクチュエータ９２は、左上方と右下方とに延びる略杆形状を有し、その上下方向途中において装置本体１２内に回転可能に支持されている。アクチュエータ９２は、光学式センサ９１の検出光を遮光する非検知位置（図９Ｂ参照）と光学式センサ９１の検出光を遮光しない検知位置（図１１Ａ参照）とに回転可能である。アクチュエータ９２は、図示しない付勢部材により、常には、非検知位置に向かって付勢されている。アクチュエータ９２は、被押圧部９５と、遮光部９６とを備えている。
【０１３７】
被押圧部９５は、アクチュエータ９２の右下端部に配置されている。被押圧部９５は、前後上下に延びる略平板形状を有している。
【０１３８】
遮光部９６は、アクチュエータ９２の左上端部に配置されている。遮光部９６は、上下左右に延びる略平板形状を有している。遮光部９６は、アクチュエータ９２が非検知位置（図９Ｂ参照）に位置しているときに、光学式センサ９１の発光素子と受光素子との間に配置し、アクチュエータ９２が検知位置（図１１Ａ参照）に位置しているときに、光学式センサ９１の発光素子と受光素子との間から右方へ退避する。
【０１３９】
制御部９３は、特定用途向け集積回路（ＡＳＩＣ）を備える回路基板を有し、装置本体１２内に配置されている。また、制御部９３は、現像ローラ２の回転数をカウントするように構成されている。
５．検知動作
図２に示すように、最大画像形成枚数が６０００枚の現像カートリッジ１が装着されたプロセスカートリッジ１３が装置本体１２に装着され、フロントカバー１７が閉鎖されると、フロントカバー１７の閉動作に連動して、装置本体１２内の本体カップリング９０（図９Ｂ参照）が現像カップリング４１（図９Ｂ参照）に相対回転不能に嵌まる。
【０１４０】
その後、制御部９３は、画像形成装置１１のウォームアップ動作を開始する。
【０１４１】
画像形成装置１１のウォームアップ動作が開始されると、本体カップリング９０の係合突起９０Ｂが、現像カップリング４１の突部４７Ａに係合する。
【０１４２】
すると、装置本体１２から本体カップリング９０を介して現像カップリング４１に駆動力が入力され、図１０Ａに示すように、現像カップリング４１が左側面視時計回り方向に回転する。
【０１４３】
すると、現像ギア４２、供給ギア４３およびアイドルギア４４は、左側面視反時計回り方向に回転する。これにより、現像ローラ２および供給ローラ３は、左側面視反時計回り方向に回転する。
【０１４４】
また、アイドルギア４４が回転すると、アジテータギア４５は左側面視時計回り方向に回転する。これにより、アジテータ６は、左側面視時計回り方向に回転する。
【０１４５】
アジテータギア４５が回転すると、当接リブ４５Ｃは、アジテータギア４５の回転に伴って左側面視時計回り方向に移動する。すると、当接リブ４５Ｃは、欠け歯ギア５１のボス５５に後上方から当接し、ボス５５を前下方に向かって押圧する。
【０１４６】
これにより、欠け歯ギア５１は、左側面視反時計回り方向に回転し、歯部５０Ａの左側面視反時計回り方向下流端部のギア歯において、アジテータギア４５の第２ギア部４５Ｂの前上端部に噛み合う。このときの欠け歯ギア５１の位置が、第２位置の一例である。
【０１４７】
すると、アジテータギア４５から欠け歯ギア５１に駆動力が伝達され、欠け歯ギア５１は、トナーキャップ３４の支持軸３６の中心軸線Ａについて、左側面視反時計回り方向に回転する。以下、左側面視反時計回り方向を回転方向Ｒと記載する。トナーキャップ３４の支持軸３６の中心軸線Ａは、回転軸線の一例である。
【０１４８】
すると、欠け歯ギア５１の第２スライド部５６は、トナーキャップ３４の変位部４０の第１傾斜面４０Ａに回転方向Ｒの上流から当接する。
【０１４９】
そして、欠け歯ギア５１がさらに回転すると、欠け歯ギア５１は、第２スライド部５６において第１傾斜面４０Ａを回転方向Ｒに摺動しながら、変位部４０に乗り上げる。これにより、欠け歯ギア５１は、圧縮ばね６３の付勢力に抗して、現像フレーム３１から離れるように徐々に左方へ移動し、第２スライド部５６が平行面４０Ｂに当接したときに、図１０Ｂに示すように、近接位置よりも現像フレーム３１から離間した離間位置に位置する。
【０１５０】
また、欠け歯ギア５１の第１スライド部５４は、検知部材５２の第１変位部５９の第１傾斜面５９Ａに回転方向Ｒの上流から当接する。
【０１５１】
ここで、上記したように、検知突起５７の左端部は、ギアカバー３９のスリット７１（図８参照）内に配置されている。また、検知部材５２の係止突起６４Ｄ（図４Ｃ参照）は、ガイド溝７４（図８参照）内に嵌まっている。
【０１５２】
これにより、検知突起５７は、その左端部が、回転方向Ｒの下流におけるスリット７１の周縁部に当接すること、および、係止突起６４Ｄがガイド溝７４の回転方向Ｒの内面に当接することにより、回転方向Ｒへのそれ以上の回転が規制される。
【０１５３】
そして、欠け歯ギア５１がさらに回転すると、第１スライド部５４は、第１変位部５９の第１傾斜面５９Ａを、回転方向Ｒに摺動しながら左方へ押圧する。これにより、検知部材５２は、回転が規制された状態で、圧縮ばね６３の付勢力に抗して、現像フレーム３１から離れるように徐々に左方へ移動する。
【０１５４】
すると、検知突起５７は、スリット７１を介して左方へさらに進出し、アクチュエータ９２の被押圧部９５に対して右方から当接して、被押圧部９５を左方に向かって押圧する。すると、アクチュエータ９２は、非検知位置から、正面視時計回り方向に揺動する。
【０１５５】
次いで、欠け歯ギア５１がさらに回転すると、検知部材５２は、図１１Ａおよび図１２に示すように、第１スライド部５４が第１変位部５９の第１平行面５９Ｂに当接したときに、検知突起５７が最も左方に進出する進出位置に位置する。
【０１５６】
このとき、アクチュエータ９２は、検知位置に位置する。遮光部９６は、光学式センサ９１の発光素子と受光素子との間から右方へ退避している。これにより、光学式センサ９１の受光素子が検知光を受光し、光学式センサ９１は、１回目の受光信号を出力する。
【０１５７】
すると、制御部９３は、ウォームアップ動作を開始した後、所定の時間内に光学式センサ９１からの受光信号を受信したことにより、未使用の現像カートリッジ１が装置本体１２に装着されたと判断する。これにより、制御部９３は、カウントした現像ローラ２の回転数をリセットする。
【０１５８】
次いで、欠け歯ギア５１がさらに回転すると、第１スライド部５４が、第１変位部５９の第２傾斜面５９Ｃに当接し、第２傾斜面５９Ｃを回転方向Ｒに摺動する。すると、検知部材５２は、回転が規制された状態で、圧縮ばね６３の付勢力によって、現像フレーム３１に近づくように徐々に右方へ移動する。
【０１５９】
これにより、検知突起５７は、ギアカバー３９内へ徐々に退避し、アクチュエータ９２の被押圧部９５から左方へ離間する。すると、アクチュエータ９２は、検知位置から正面視時計回りに揺動し、非検知位置に位置する。このとき、第２スライド部５６は、依然として、変位部４０上をスライドしている。
【０１６０】
これにより、アクチュエータ９２の遮光部９６は、光学式センサ９１の発光素子と受光素子との間に位置する。
【０１６１】
すると、光学式センサ９１の受光素子が検知光を受光せず、光学式センサ９１は、１回目の受光信号の出力を停止する。
【０１６２】
次いで、欠け歯ギア５１がさらに回転すると、図１１Ｂに示すように、第１スライド部５４が第１変位部５９の第２平行面５９Ｄに当接したときに、検知突起５７がギアカバー３９よりも左方へわずかに進出した状態で、検知部材５２のそれ以上の右方への移動が停止する。これにより、検知部材５２の１回目の往復移動が完了する。
【０１６３】
次いで、欠け歯ギア５１がさらに回転すると、図１１Ｃに示すように、第１スライド部５４は、第２変位部６０に当接し、第１変位部５９と同様に、第１傾斜面６０Ａを左方へ押圧する。すると、検知部材５２は、第１スライド部５４が第１変位部５９に当接した場合と同じように、進出位置に位置する。その後、検知部材５２は、右方へ退避する。これにより、検知部材５２の２回目の往復移動が完了する。また、光学式センサ９１は、２回目の受光信号を出力し、その後、２回目の受光信号の出力を停止する。
【０１６４】
次いで、欠け歯ギア５１がさらに回転すると、第１スライド部５４は、第３変位部６１に当接し、第２変位部６０と同様に、第１傾斜面６１Ａを左方へ押圧する。すると、検知部材５２は、第１スライド部５４が第２変位部６０に当接した場合と同じように、進出位置に位置する。その後、検知部材５２は、右方へ退避する。これにより、検知部材５２の３回目の往復移動が完了する。また、光学式センサ９１は、３回目の受光信号を出力し、その後、３回目の受光信号の出力を停止する。
【０１６５】
次いで、欠け歯ギア５１がさらに回転すると、図１３Ａおよび図１３Ｂに示すように、欠け歯ギア５１は、欠け歯ギア５１の歯部５０Ａがアジテータギア４５の第２ギア部４５Ｂから離間することにより、停止する。なお、このとき、欠け歯ギア５１は、図５Ａを参照して、第２スライド部５６が変位部４０の第２傾斜面４０Ｃを摺動して、第２傾斜面４０Ｃと第２ストッパ３４Ｂとの間に配置されるとともに、圧縮ばね６３の付勢力によって、近接位置に位置する。
【０１６６】
ここで、ウォームアップ動作を開始した後、所定の時間内に制御部９３が光学式センサ９１から受信する受光信号の回数は、現像カートリッジ１の仕様（具体的には、最大画像形成枚数）に対応している。例えば、上記したように、受光信号を３回受信した場合には、制御部９３は、第１の仕様（最大画像形成枚数：６０００枚）の現像カートリッジ１が装置本体１２に装着されたと判断する。また、受光信号を１回受信した場合には、制御部９３は、第２の仕様（最大画像形成枚数：３０００枚）の現像カートリッジ１が装置本体１２に装着されたと判断する。
【０１６７】
その後、所定の時間が経過すると、制御部９３は、ウォームアップ動作を終了する。
【０１６８】
なお、制御部９３は、ウォームアップ動作を開始した後、所定の時間内に光学式センサ９１からの受光信号を受信しなかった場合には、使用済みまたは使用途中の現像カートリッジ１が装置本体１２に装着されたと判断する。
６．作用効果
（１）この現像カートリッジ１によれば、欠け歯ギア５１は、検知部材５２に向かい合う左面Ｓ１に第１スライド部５４を有し、現像フレーム３１のトナーキャップ３４に向かい合う右面Ｓ２に第２スライド部５６を有している。そして、欠け歯ギア５１は、第２スライド部５６によって欠け歯ギア５１自体を左方に移動させるとともに、第１スライド部５４によって検知部材５２を左方に移動させることができる。
【０１６９】
そのため、１つの作用部で検知部材５２を移動させる場合と比べて、検知部材５２を左方に大きく移動させることができ、検知突起５７を装置本体１２のアクチュエータ９２に安定に当接させることができる。
【０１７０】
その結果、装置本体１２に、未使用の現像カートリッジ１が装着されたことを認識させることができる。
【０１７１】
また、現像カートリッジ１の小型化を図るために、欠け歯ギア５１の直径を小さくすることが検討される。
【０１７２】
ここで、欠け歯ギア５１の直径を小さくしながら検知部材５２の左右方向における移動距離を確保しようとした場合、作用部が１つであると、検知部材５２に、回転方向に対して左右方向に大きく傾斜した傾斜面を設けて、検知部材５２の左右方向における移動距離を確保する必要がある。傾斜面の傾斜が大きいと、検知部材５２を円滑に移動させることが困難となるおそれがある。
【０１７３】
しかし、この現像カートリッジ１によれば、検知部材５２に向かい合う第１スライド部５４と、現像フレーム３１のトナーキャップ３４に向かい合う第２スライド部５６とを備えている。
【０１７４】
また、トナーキャップ３４が変位部４０を有し、検知部材５２が変位部５８を有している。
【０１７５】
そのため、作用部が１つである場合と比べて、トナーキャップ３４の変位部４０、および、検知部材５２の変位部５８の２つの変位部のそれぞれの傾斜を緩やかに維持することができる。
【０１７６】
その結果、検知部材５２の左右方向における移動距離を確保できながら、検知部材５２を円滑に移動させることができる。
（２）この現像カートリッジ１によれば、図１に示すように、現像ローラ２を有する構成において、検知部材５２を保護することができながら、検知突起５７をアクチュエータ９２に安定に当接することができる。
（３）この現像カートリッジ１によれば、図６Ｂに示すように、第２スライド部５６は、トナーキャップ３４の変位部４０に対応して、検知部材５２の変位部５８に対応する第１スライド部５４よりも径方向内方に配置されている。
【０１７７】
そのため、図６Ａおよび図９Ａに示すように、トナーキャップ３４の変位部４０と、検知部材５２の変位部５８とを、互いに径方向にずらして配置するとともに、第１スライド部５４と第２スライド部５６とを、互いに径方向にずらしながら効率よく配置することができる。
【０１７８】
これにより、トナーキャップ３４の変位部４０と検知部材５２の変位部５８とが径方向において同じ位置に配置され、第１スライド部５４と第２スライド部５６とが径方向において同じ位置に配置されている場合と比べて、左右方向において小型化を図ることができる。
（４）この現像カートリッジ１によれば、検知部材５２は、第１スライド部５４が当接する変位部５８を有し、現像フレーム３１のトナーキャップ３４は、第２スライド部５６が当接する変位部４０を有している。
【０１７９】
そのため、簡易な構成で、第１スライド部５４を検知部材５２の変位部５８に当接させて、検知部材５２を左方へ移動させることができながら、第２スライド部５６をトナーキャップ３４の変位部４０に当接させて、欠け歯ギア５１を左方へ移動させることができる。
【０１８０】
その結果、簡易な構成で、検知部材５２を左方へ大きく移動させることができる。
（５）この現像カートリッジ１によれば、検知部材５２の変位部５８の第１傾斜面５９Ａによって検知部材５２を左方に円滑に移動させることができながら、トナーキャップ３４の変位部４０の第１傾斜面４０Ａによって欠け歯ギア５１を左方に円滑に移動させることができる。
【０１８１】
その結果、検知部材５２を左方に円滑に移動させることができ、検知突起５７をアクチュエータ９２により安定に当接させることができる。
（６）この現像カートリッジ１によれば、図１１Ａおよび図１１Ｃに示すように、第１スライド部５４が第１変位部５９の第１平行面５９Ｂ、または、第２変位部６０の第１平行面６０Ｂに当接したときに、検知部材５２が欠け歯ギア５１の左面Ｓ１から左方へ最も離間する。また、第２スライド部５６が変位部４０の平行面４０Ｂに当接したときに、欠け歯ギア５１が現像フレーム３１から左方へ最も離間する。
【０１８２】
そのため、第２スライド部５６が変位部４０の平行面４０Ｂに当接した状態で、第１スライド部５４が第１変位部５９の第１平行面５９Ｂ、または、第２変位部６０の第１平行面６０Ｂに当接する最大移動位置に欠け歯ギア５１が配置されたときに、検知部材５２を現像フレーム３１から最も左方へ進出させることができる。
【０１８３】
その結果、欠け歯ギア５１が最大移動位置に配置されたときに、検知部材５２をアクチュエータ９２に、より一層安定に当接させることができる。
（７）この現像カートリッジ１によれば、図９Ｂに示すように、現像カートリッジ１が未使用であり、検知部材５２が装置本体１２の構成に検知されていないときに、検知部材５２をギアカバー３９の検知部材収容部８２の左壁８２Ａで被覆して、周辺の部材との干渉を確実に防止することができる。
（８）この現像カートリッジ１によれば、図３Ａに示すように、圧縮ばね６３の付勢力により、検知部材５２を、右方へ確実に退避させることができる。
（９）この現像カートリッジ１によれば、図４および図８に示すように、ギアカバー３９は、検知部材５２を支持する支持軸７３を備え、トナーキャップ３４は、欠け歯ギア５１を支持する支持軸３６を備えている。
【０１８４】
そのため、ギアカバー３９およびトナーキャップ３４を利用して、部品点数の低減を図りながら、欠け歯ギア５１および検知部材５２を支持することができる。
（１０）この現像カートリッジ１によれば、装置本体１２からの駆動力が現像カップリング４１に入力された後、図１０Ａに示すように、アジテータギア４５の当接リブ４５Ｃが欠け歯ギア５１のボス５５に当接するまでの間、欠け歯ギア５１を停止させた状態で現像カートリッジ１を動作させることができる。
【０１８５】
その後、アジテータギア４５の当接リブ４５Ｃが欠け歯ギア５１のボス５５に当接することにより、アジテータギア４５から欠け歯ギア５１へ駆動力を伝達することができる。
【０１８６】
これにより、現像カートリッジ１が安定に動作した後に、アジテータギア４５から欠け歯ギア５１へ駆動力を伝達して、検知部材５２を移動させることができる。
【０１８７】
その結果、現像カートリッジ１が安定に動作している状態で、検知部材５２を装置本体１２に検知させることができる。
（１１）この現像カートリッジ１によれば、図３Ｂに示すように、アジテータギア４５の前端部は、左右方向に投影したときに、検知部材５２の切欠部分６５Ａ内に位置している。
【０１８８】
そのため、検知部材５２とアジテータギア４５とを、前後方向において近接して配置することができる。
【０１８９】
その結果、現像カートリッジ１の小型化を図ることができる。
（１２）この現像カートリッジ１によれば、図９Ｂ、図１１Ａおよび図１１Ｂに示すように、検知部材５２は、回転を規制された状態で左右方向にのみ移動する。
【０１９０】
そのため、検知部材５２が回転する場合と比べて、検知部材５２の移動軌跡の省スペース化を図ることができる。
７．変形例
（１）第１の変形例
上記した実施形態では、検知部材５２に変位部５８が設けられ、欠け歯ギア５１に第１スライド部５４が設けられている。また、トナーキャップ３４に変位部４０が設けられ、欠け歯ギア５１に第２スライド部５６が設けられている。
【０１９１】
しかし、図１４、図１５Ａおよび図１５Ｂに示すように、検知部材５２に第１スライド部５４を設け、欠け歯ギア５１の左面Ｓ１に変位部５８を設けることもできる。
【０１９２】
また、図１４および図１５Ｃに示すように、トナーキャップ３４に第２スライド部５６を設け、欠け歯ギア５１の右面Ｓ２に変位部４０を設けることもできる。
【０１９３】
また、検知部材５２に変位部５８を設け、欠け歯ギア５１の右面Ｓ２に変位部４０を設けることもできる。
【０１９４】
また、トナーキャップ３４に変位部４０を設け、欠け歯ギア５１の左面Ｓ１に変位部５８を設けることもできる。
【０１９５】
また、トナーキャップ３４に代えて、変位部４０を現像フレーム３１に設けることもできる。
【０１９６】
第１の変形例においても、上記した実施形態と同様の作用効果を得ることができる。
（２）第２の変形例
上記した実施形態では、トナーキャップ３４の支持軸３６が欠け歯ギア５１を支持し、ギアカバー３９の支持軸７３が検知部材５２を支持している。しかし、図１６Ａに示すように、ギアカバー３９に支持軸７３を設けず、トナーキャップ３４の支持軸３６を左右方向に長く構成して、トナーキャップ３４の支持軸３６に、欠け歯ギア５１および検知部材５２を支持することもできる。
【０１９７】
第２の変形例においても、上記した実施形態と同様の作用効果を得ることができる。
（３）第３の変形例
上記した第２の変形例では、トナーキャップ３４に支持軸３６を設けているが、図１６Ｂに示すように、現像フレーム３１の左壁に支持軸３６を設けることもできる。
【０１９８】
第３の変形例においても、上記した実施形態と同様の作用効果を得ることができる。
（４）第４の変形例
また、図１６Ｃに示すように、トナーキャップ３４に支持軸３６を設けず、ギアカバー３９に支持軸７３を左右方向に長く構成して、ギアカバー３９に支持軸７３に、欠け歯ギア５１および検知部材５２を支持することもできる。
【０１９９】
また、この場合、トナーキャップ３４に代えて、現像フレーム３１でギアカバー３９に設けられた支持軸７３を受けることもできる。
【０２００】
第４の変形例においても、上記した実施形態と同様の作用効果を得ることができる。
（５）第５の変形例
上記した実施形態では、回転体の一例として欠け歯ギア５１を挙げ、伝達部材の一例としてアジテータギア４５を挙げたが、回転体および伝達部材は、ギアに限られない。  例えば、回転体および伝達部材は、ギア歯を有さない摩擦車などから構成することもできる。
【０２０１】
詳しくは、図１７に示すように、アジテータギア４５の第２ギア部４５Ｂにおいて、ギア歯に代えて、少なくとも外周面がゴムなどの摩擦係数が比較的大きい材料からなる第１の抵抗付与部材１２３を設けるとともに、回転体１２１の被伝達部１２１Ａにおいて、ギア歯に代えて、少なくとも外周面がゴムなどの摩擦係数が比較的大きい材料からなる第２の抵抗付与部材１２２を設け、抵抗付与部材同士の摩擦により駆動力を伝達することもできる。
【０２０２】
また、この場合、アジテータギア４５の第２ギア部４５Ｂは、ギア歯を有する構成とし、回転体１２１の被伝達部１２１Ａのみ、外周面がゴムなどの摩擦係数が比較的大きい材料からなる第２の抵抗付与部材１２２を設けてもよい。
【０２０３】
第５の変形例においても、上記した実施形態と同様の作用効果を得ることができる。
（６）第６の変形例
上記した実施形態では、検知部材５２において、１つの変位部５８に第１変位部５９、第２変位部６０および第３変位部６１を設けているが、例えば、図１８Ａおよび図１８Ｂに示すように、２つの変位部５８を検知部材５２の径方向に重ねて配置し、径方向外方の変位部５８Ａと、径方向内方の変位部５８Ｂとに、それぞれ、第１変位部１３１、第２変位部１３３および第３変位部１３２のいずれかを設けることもできる。すなわち、第１変位部１３１、第２変位部１３３および第３変位部１３２を検知部材５２の径方向にずらして配置することもできる。
【０２０４】
具体的には、径方向外方の変位部５８Ａに、第１変位部１３１および第３変位部１３２を設け、径方向内方の変位部５８Ｂに、第２変位部１３３を設けることもできる。
【０２０５】
第６の変形例においても、上記した実施形態と同様の作用効果を得ることができる。
（７）その他の変形例
上記した実施形態では、駆動受け部の一例として、現像カップリング４１を挙げたが、駆動受け部は、現像カップリング４１のような軸継手に限定されず、例えば、ギアでもよい。
【０２０６】
また、上記した実施形態では、カートリッジの一例として、現像ローラ２を有する現像カートリッジ１を挙げたが、カートリッジは、例えば、現像ローラ２や供給ローラ３を有さず、トナー収容部５のみを有するトナーカートリッジとして構成することもできる。
【０２０７】
また、上記した実施形態では、現像剤担持体の一例として現像ローラ２を挙げたが、現像剤担持体としては、例えば、現像スリーブなどを適用することもできる。
【０２０８】
また、上記した実施形態では、伝達部材の一例として、アジテータ６の回転軸に支持されるアジテータギア４５を挙げたが、伝達部材は、アジテータ６の回転軸に接続されず、現像フレーム３１の左壁に支持されるアイドルギアとして構成することもできる。
【０２０９】
また、上記した実施形態では、付勢部材の一例として圧縮ばね６３を挙げたが、付勢部材の形状は、コイル状に限定されず、例えば、板ばねなどを適用することもできる。
【０２１０】
また、上記した実施形態では、欠け歯ギア５１を１つの部材として構成したが、欠け歯ギア５１の形態は特に限定されず、例えば、第１スライド部５４を有する欠け歯ギアと、第２スライド部５６を有する欠け歯ギアとが左右方向に重なって配置され、それらの欠け歯ギアが互いに相対回転不能に係合された構成でもよい。
【０２１１】
また、上記した実施形態では、退避位置から進出位置に位置させ、その後、待機位置と進出位置とを往復するように構成している。つまり、最初の進出動作における検知部材５２の移動距離よりも、２回目以降の進出動作における検知部材５２の移動距離の方が短い。
【０２１２】
しかし、各進出動作における検知部材５２の移動距離は、すべて同じであってもよく、すべて異なっていてもよい。
【０２１３】
また、１回の進退動作において、進出動作における検知部材５２の移動距離と、退避動作における検知部材５２の移動距離とは、同じであってもよく、異なっていてもよい。
【０２１４】
また、上記した実施形態では、検知突起５７は、検知部材５２が収容位置にあるときに、ギアカバー３９内に完全に収容されている。しかし、検知突起５７は、検知部材５２が収容位置にあるときに、ギアカバー３９からわずかに突出していてもよい。
【０２１５】
また、上記した実施形態では、現像フレーム３１の左右方向両側壁は、それぞれ前後方向に延びている。しかし、現像フレーム３１の左右方向両側壁の少なくとも一方は、前後方向に対して傾斜する方向に延びていてもよい。
【０２１６】
また、上記した実施形態では、受光信号を３回受信した場合に、最大画像形成枚数が６０００枚である現像カートリッジ１と判断し、受光信号を１回受信した場合に、最大画像形成枚数が３０００枚である現像カートリッジ１と判断しているが、検知部材５２と最大画像形成枚数との関係は、現像カートリッジ１の仕様を区別できれば特に限定されず、適宜設定することができる。
【０２１７】
例えば、受光信号を３回受信した場合に、最大画像形成枚数が３０００枚であると判断し、受光信号を１回受信した場合に、最大画像形成枚数が６０００枚であると判断させることもできる。
【０２１８】
また、最大画像形成枚数の数値についても、上記した数値に限定されず、適宜設定することができる。例えば、受光信号を３回受信した場合に、最大画像形成枚数が１０００枚であると判断し、受光信号を１回受信した場合に、最大画像形成枚数を２０００枚であると判断させることもできる。
【０２１９】
また、上記した実施形態では、アイドルギア支持軸３０を現像フレーム３１に一体的に設けているが、アイドルギア支持軸３０は、現像フレーム３１と別体でもいい。
【０２２０】
また、上記した実施形態では、現像カップリング４１を支持する図示しない支持軸を現像フレーム３１に一体的に設けているが、現像カップリング４１を支持する図示しない支持軸は、現像フレーム３１と別体でもいい。
【０２２１】
上記した実施形態では、制御部９３は、現像ローラ２の回転数をカウントしたが、たとえば、アジテータ６の回転数をカウントすることもでき、また、トナー収容部５内のトナーの残量を計測してもよい。この場合、制御部９３は、未使用（新品）の現像カートリッジ１が装着されたと判断したときに、アジテータ６の回転数や、トナー収容部５内のトナーの残量の計測値をリセットする。
【０２２２】
上記した各実施形態および各変形例は、互いに組み合わせることができる。
【符号の説明】
【０２２３】
１        現像カートリッジ
２        現像ローラ
３１      現像フレーム
３３      トナー充填口
３４      トナーキャップ
３６      支持軸
３９      ギアカバー
４０      変位部
４０Ａ    傾斜面
４０Ｂ    平行面
４１      現像カップリング
４５      アジテータギア
４５Ｂ    第２ギア部
４５Ｃ    当接リブ
５０      本体部
５０Ａ    歯部
５１      歯ギア
５２      検知部材
５４      第１スライド部
５５      ボス
５６      第２スライド部
５７      検知突起
５８      変位部
５８Ａ    第１傾斜面
５８Ｂ    平行面
６５Ａ    切欠部分
７３      支持軸
８２Ａ    左壁
Ｒ        回転方向
Ｓ１      左面
Ｓ２      右面
【図１】
2015197532.tif 000003
【図２】
2015197532.tif 000004
【図３】
2015197532.tif 000005
【図４】
2015197532.tif 000006
【図５】
2015197532.tif 000007
【図６】
2015197532.tif 000008
【図７】
2015197532.tif 000009
【図８】
2015197532.tif 000010
【図９】
2015197532.tif 000011
【図１０】
2015197532.tif 000012
【図１１】
2015197532.tif 000013
【図１２】
2015197532.tif 000014
【図１３】
2015197532.tif 000015
【図１４】
2015197532.tif 000016
【図１５】
2015197532.tif 000017
【図１６】
2015197532.tif 000018
【図１７】
2015197532.tif 000019
【図１８】
2015197532.tif 000020